(57)【要約】【課題】壁面あるいは天井に取り付けられたままの火災警報器の検知部を、住宅用等の掃除機によって、手軽に掃除できるようにする。【解決手段】ラビリンス壁２ｃに囲まれた煙感知室内に煙検出素子２ａ、２ｂを配置して構成された検知部２をヘッド部１ｂに設けた住宅用火災警報器において、ヘッド部１ｂを構成する本体カバー１ｃに吸気孔を形成すると共に、検知部２の内部に通気孔１１を形成して、住宅用火災警報器１の外部から煙感知室に連通する通気路を設けた構造にしている。【選択図】図１
2010033238.tif 000002
【特許請求の範囲】
【請求項１】
ラビリンス壁に囲まれた煙感知室内に煙検出素子を配置して構成された検知部をヘッド部に設けた住宅用火災警報器において、
前記ヘッド部を構成する本体カバーに吸気孔を形成すると共に、前記検知部の内部に通気孔を形成して、前記住宅用火災警報器の外部から前記煙感知室に連通する通気路を設けた構造にしている住宅用火災警報器。
【請求項２】
請求項１において、
前記吸気孔、前記通気孔の少なくとも一方には、集塵フィルタを設けている住宅用火災警報器。
【請求項３】
請求項１または２において、
前記吸気孔、前記通気孔は、閉蓋部材によって連通が遮断、許容可能になっている住宅用火災警報器。
【発明の詳細な説明】
【技術分野】
【０００１】
本発明は、ラビリンス壁に囲まれた煙感知室内に煙検出素子を配置した検出部を有した住宅用火災警報器の改良に関する。
【背景技術】
【０００２】
上記のような火災検知器の例として、次の特許文献１、２には、壁面あるいは天井面に固定されるベース部と、そのベース部に着脱自在に装着されるヘッド部とからなり、検出部がそのヘッド部に設けられた構成の記載がある。ところが、ラビリンス壁に囲まれた煙検知室に煙検出素子を配置した検出部は、ラビリンス壁の通気口が複雑な形状になっているので、そこに埃等が堆積していき、煙検知能力が徐々に低下していくという事情がある。
【特許文献１】特開2003-162779号公報
【特許文献２】特開2003-099875号公報
【発明の開示】
【発明が解決しようとする課題】
【０００３】
従来、そのようなラビリンス壁に堆積した埃を除去するには、警報器のヘッド部をベース部から取り外して、検知部をエアガン、ガススプレー等によって清掃することが一般的であった。しかしながら、壁面あるいは天井面に取り付けられた警報器のヘッド部を取り外すためには脚立等に登る必要があり、また、エアガン、ガススプレー等も必要であるため、住宅の居住者にとって、そのような清掃作業は気軽にできるものではなかった。
そこで、本発明は、壁面あるいは天井に取り付けられたままで、住宅用等の掃除機によって、手軽に掃除できるようにした火災警報器を提供する。
【課題を解決するための手段】
【０００４】
本発明による住宅用火災警報器は、ラビリンス壁に囲まれた煙感知室内に煙検出素子を配置して構成された検知部をヘッド部に設けた住宅用火災警報器において、前記ヘッド部を構成する本体カバーに吸気孔を形成すると共に、前記検知部の内部に通気孔を形成して、前記住宅用火災警報器の外部から前記煙感知室に連通する通気路を設けた構造にしている。
【０００５】
また、前記吸気孔、前記通気孔の少なくとも一方に集塵フィルタを設けてもよい。
【０００６】
また、前記吸気孔、前記通気孔は、閉蓋部材によって連通が遮断、許容可能にしてもしてもよい。
【発明の効果】
【０００７】
本発明による火災警報器は、壁面あるいは天井面に取り付けたままの状態で、住宅用掃除機等、清掃装置の吸気管を検知部に被せて空気を吸引するだけで、吸気孔、通気孔等によって形成された通気路を通じて、警報器の外部から煙検知室に流入し、更に煙検知室から排出される空気の流れが形成されるので、その空気の流れによって、煙感知室のラビリンス壁、防虫網、保護カバー等に堆積した埃等を効率的に除去できる。
【０００８】
また、吸気孔や通気孔に集塵フィルタを設けた構成では、室内空間から検知部に流入する空気に混じった埃によって、発光素子、受光素子、ラビリンス壁等が汚染される虞もない。
【０００９】
また、吸気孔、通気孔の連通を遮蔽、あるいは許容する閉蓋部材を設けた構造のものでは、掃除をしないときには、閉蓋部材は、自重等によって吸気孔と通気孔とを塞ぐので、集塵フィルタを設けなくても、吸気孔、通気孔を通じて埃が検知部に流入することが防がれる。一方、清掃時には、掃除機の吸引筒によって閉蓋部材が持ち上げられて形成された隙間によって吸気孔と通気孔とが連通するので、掃除機を用いての清掃が可能となる。
【発明を実施するための最良の形態】
【００１０】
以下、本発明による火災警報器を図に従って説明する。この警報器１は、壁面あるいは天井面に取り付けられ、火災を検出すると警報を出力する基本機能を有した住宅用火災警報器である。
図１、図２、図３は、この警報器の全体的な外観を示した斜視図、分解図、および清掃時における空気の流れを示した縦方向の概略破断図である。また、図４は、検知部の横方向の遮断図である。
【００１１】
火災警報器１は、壁面あるいは天井面に固定されるベース部１ａと、ヘッド部１ｂとからなり、ラビリンス壁２ｃに囲まれた煙検知室に煙検出素子を配置した検知部２を、内側に空間を有したヘッド部１ｂの中央部から屋内空間に向かって突出させて配置した基本構造になっている。
【００１２】
ヘッド部１ｂを構成するハウジングとなる樹脂製の本体カバー１ｃは、検知部２の周囲に吸気孔１０を形成すると共に、検知部２の内部に通気孔１１を形成して、煙感知室の外方から、吸気孔１０に連通する通気路を設けた構造になっている。通気路は、本体カバー１ｃの内側の空間、隙間によって形成されている。また、吸気孔１０、通気孔１１の少なくとも一方には、集塵フィルタ１４を設けている。
【００１３】
ヘッド部１ｂには、警報停止操作を検出する電気スイッチ、警報を出力する音声ＩＣ等で構成された音声出力部、マイクロコントローラ等で構成された制御部等を搭載した回路基板と、電源となる電池と、スピーカとが内蔵されている。なお、これらは本発明に直接関連しないので図示を省略している。また、ヘッド部１ｂには、警報停止操作等を行う押釦１５と、引紐１６とが設けられている。
【００１４】
検知部２は、防虫網３と保護カバー４とによって２重に保護されたラビリンス壁２ｃと、そのラビリンス壁２ｃの内側に広がる煙検知室に適宜配置された煙検知素子、つまり発光素子２ａと、受光素子２ｂとで構成されている。ラビリンス壁２ｃは、遮光しかつ空気を通過させるように複雑な形状の通気口を有している。また、発光素子２ａは例えば発光ダイオード、受光素子２ｂはホトダイオード等で構成され、これらは、発光素子２ａの発した光が受光素子２ｂに直接入射しないような位置関係とされ、更に、ラビリンス壁２ｃ等によって反射された光が受光素子２ｂに入射しないように、発光素子２ａと受光素子２ｂとの間には遮光壁が形成されている。煙検出動作は、発光素子２ａに設けた発光ダイオードを点灯させることにより行うもので、例えば、８秒に１回、発光素子２ａを点灯させることで、検出動作を周期的に行う。このとき、煙検出部１２に煙が流入してくると、発光素子２ａの発した光は煙粒子によって乱反射され、その一部が受光素子２ｂに入射するので、受光素子２ｂはその光を検出信号に変換して出力する。
【００１５】
しかしながら、ラビリンス壁２ｃの通気口は、図４のように複雑な形状になっているので、そこに埃等が堆積していき、煙検知能力が徐々に低下していくという事情がある。従来、そのようなラビリンス壁２ｃに堆積した埃を除去するには、ヘッド部１ｂをベース部１ｂから取り外して、検知部２をエアガン、ガススプレー等によって清掃することが一般的であったが、本発明では、円筒状の吸気管を有した清掃装置３０、例えば、一般的な掃除機、あるいは一般的な掃除機に円筒状アダプタを装着したものによって効果的に清掃できるようにしている。
【００１６】
すなわち、本発明では、壁面あるいは天井面に固定したままの警報器の検知部２に、清掃装置３０の吸気管を被せて清掃装置３０により吸気することで、ラビリンス壁２ｃ、防虫網３、保護カバー４に堆積した埃を除去することができる。このとき、清掃装置３０の吸気管によって、検知部２の付近から空気が吸い込まれると、空気圧の関係で、屋内空間の空気が、ヘッド部１ｂに形成された吸気孔１０から吸い込まれ、通気路を経由して、通気路１１からラビリンス壁２ｃの内側の煙検知室に導かれ、更に、ラビリンス壁２ｃの通気口から排出される。その際、ラビリンス壁２ｃに堆積している埃も空気共に排出されるので、検知部２が効率的に清掃できる。また、通気孔１１には集塵フィルタ１４が付加されているので、通気孔１１から煙検知室に流入する空気に混じった埃によって、発光素子２ａ、受光素子２ｂあるいはラビリンス壁２ｃが汚染される虞もない。ここで、図中の矢印は空気の流れを示したものである。
【００１７】
なお、検知部２の保護カバー４の外周面には、縦方向に突条を等間隔に形成する等によって、清掃装置３０の吸気管と検知部２との間に隙間を確保し、通気が妨げられないようにすることが望ましい。
【００１８】
図５（ａ）、図５（ｂ）は、本発明による火災警報器の他例における閉蓋部材１３の作用を説明する縦方向の概略破断図で、特に（ａ）は閉蓋部材１３が吸気孔１０および通気孔１１を遮蔽した状態、（ｂ）は吸気孔１０および通気孔１１を解放した状態を示している。
【００１９】
この警報器１は、ヘッド部１ｂの内側の空間には、吸気孔１０と通気孔１１とを遮蔽、解放する閉蓋部材１３を収容している。閉蓋部材１３には押上げ操作部１２が設けられており、この押上げ操作部１２は、吸気口１０よりも検知部２に近い場所に設けた本体カバー１ｃの開口から屋内空間に向けて突出させている。閉蓋部材１３は、自重、あるいは図示しない弾性バネ等によって、通常時は、吸気孔１０および通気孔１１を遮蔽した状態になっているが、清掃時に清掃装置３０の吸気管によって押上げ操作部１２がヘッド部１ｂの内側の空間側に押圧されると、上方に移動する。そのため閉蓋部材１３も吸気孔１０、通気孔１１から遠ざかる方向に移動して、それらの孔を解放させる。また、押上げ操作部１２の押圧が解除されれば、閉蓋部材１３は元の位置に戻って、吸気孔１０および通気孔１１を再び遮蔽する。なお、閉蓋部材１３は、薄いゴムシート等からなる弁で構成し、清掃装置３０によって生じた空気の流れによって湾曲して、吸気孔あるいは通気孔を解放し、空気の流れがなくなったときには、また元の形状に戻って、気孔あるいは通気孔を遮蔽するようにしてもよい。また、警報器１を使用しないときに、吸気孔１０に挿入して遮蔽するプラグを用意してもよい。
【００２０】
このように、ヘッド部１ｂの内側の空間に、吸気孔１０、通気孔１１の少なくとも一方を遮蔽する閉蓋部材１３を収容した構成では、掃除をしないときには、閉蓋部材１３によって吸気孔、通気孔が遮蔽されるので、その間は、室内空間から吸気孔、通気孔を経由した空気が流入しない。そのため、室内空間から吸気孔、通気孔を経由した空気と共に、埃が検知部２の内部に流入することが防がれる。
【図面の簡単な説明】
【００２１】
【図１】本発明による火災警報器の全体的な外観を示した斜視図である。
【図２】本発明による火災警報器の分解図である。
【図３】本発明による火災警報器の縦方向の概略破断図である。
【図４】検知部の横方向の遮断図である。
【図５】（ａ）、（ｂ）は、本発明による火災警報器の他例における閉蓋部材の作用をそれぞれ説明する縦方向の概略破断図で、特に（ａ）は閉蓋部材が吸気孔および通気孔を遮蔽した状態、（ｂ）は吸気孔および通気孔を解放した状態を示している。
【符号の説明】
【００２２】
１    火災警報器
１ｂ  ヘッド部
１ｃ  本体カバー
２    検知部
２ａ、２ｂ  煙検知素子
２ｃ  ラビリンス壁
１０  吸気孔
１１  通気孔
１３  閉蓋部材
１４  集塵フィルタ
【図１】
2010033238.tif 000003
【図２】
2010033238.tif 000004
【図３】
2010033238.tif 000005
【図４】
2010033238.tif 000006
【図５】
2010033238.tif 000007